(57)【特許請求の範囲】
【請求項１】
１以上の加入者装置とＰＯＮ（Ｐａｓｓｉｖｅ  Ｏｐｔｉｃａｌ  Ｎｅｔｗｏｒｋ）接続され、下流に配置された各加入者装置と時分割多重を用いて単一波長の光信号を送受信する複数の中継装置と、
前記中継装置ごとに異なる波長の光信号を送受信する送受信装置と、
を備え、
前記中継装置は、
予め定められた波長の光信号を、前記加入者装置から受信する加入者側受信部と、
前記加入者側受信部の受信した光信号を、前記送受信装置から指定された時間に、前記送受信装置から指定された波長を用いて、前記送受信装置へ送信する送受信装置側送信部と、
前記送受信装置から指定された時間に、前記送受信装置から指定された波長の光信号を前記送受信装置から受信する送受信装置側受信部と、
前記送受信装置側受信部の受信した光信号を、前記加入者側受信部の受信波長と同じ波長を用いて、前記加入者装置へ送信する加入者側送信部と、
を備える光通信システム。
【請求項２】
１以上の加入者装置とＰＯＮ（Ｐａｓｓｉｖｅ  Ｏｐｔｉｃａｌ  Ｎｅｔｗｏｒｋ）接続され、下流に配置された各加入者装置と時分割多重を用いて単一波長の光信号を送受信する複数の中継装置と、
前記中継装置ごとに異なる波長の光信号を送受信する送受信装置と、
を備え、
前記中継装置は、
予め定められた波長の光信号を、前記加入者装置から受信する加入者側受信部と、
前記加入者側受信部の受信した光信号を、前記送受信装置から指定された時間に、前記送受信装置から指定された波長を用いて、前記送受信装置へ送信する送受信装置側送信部と、
前記送受信装置から指定された時間に、予め定められた波長の光信号を前記送受信装置から受信する送受信装置側受信部と、
前記送受信装置側受信部の受信した光信号を、前記加入者側受信部の受信波長と同じ波長を用いて、前記加入者装置へ送信する加入者側送信部と、
を備える光通信システム。
【請求項３】
下流側ポートが複数の前記中継装置と接続され、上流側ポートが複数の前記送受信装置と接続され、前記下流側ポートのうちのいずれかのポートに入力された光信号を前記上流側ポートの各ポートに出力し、前記上流側ポートのうちのいずれかのポートに入力された光信号を前記下流側ポートの各ポートに出力する光スプリッタをさらに備えることを特徴とする請求項１又は２に記載の光通信システム。
【請求項４】
下流側ポートが複数の前記中継装置と接続され、上流側ポートが複数の前記送受信装置と接続され、前記下流側ポートのうちのいずれかのポートに入力された光信号を、前記上流側ポートのうちの波長に応じて定められたポートに出力し、前記上流側ポートのうちのいずれかのポートに入力された光信号を、前記下流側ポートのうちの波長に応じて定められたポートに出力する周回性光合分波器をさらに備えることを特徴とする請求項１又は２に記載の光通信システム。
【請求項５】
上流側ポートが複数の前記送受信装置と接続され、下流側ポートが１つの周回性光合分波器と接続された光スプリッタと、
下流側ポートが複数の前記中継装置と接続され、上流側ポートが前記光スプリッタと接続された周回性光合分波器と、をさらに備え、
前記光スプリッタは、前記上流側ポートのうちのいずれかのポートに入力された光信号を前記下流側ポートに出力し、前記下流側ポートに入力された光信号を前記上流側ポートの各ポートに出力し、
前記周回性光合分波器は、前記下流側ポートのうちのいずれかのポートに入力された光信号を前記上流側ポートに出力し、前記上流側ポートに入力された光信号を前記下流側ポートのうちの波長に応じて定められたポートに出力する
ことを特徴とする請求項１又は２に記載の光通信システム。
【発明の詳細な説明】
【技術分野】
【０００１】
本発明は、複数波長を用いた光伝送アクセスシステムにおける、既存光アクセスシステムの広域収容システムに対応した光通信システムに関する。
【背景技術】
【０００２】
近年、急速な普及を遂げているＦＴＴＨ（Ｆｉｂｅｒ  Ｔｏ  Ｔｈｅ  Ｈｏｍｅ）サービスを支える光アクセスシステムとして、ＰＯＮ（Ｐａｓｓｉｖｅ  Ｏｐｔｉｃａｌ  Ｎｅｔｗｏｒｋ）システムの導入が世界各国で進められている。
【０００３】
ＰＯＮシステムとは、光ファイバ伝送路中に設置された光スプリッタを介して、収容局に設置された１台の終端装置（ＯＬＴ：Ｏｐｔｉｃａｌ  Ｌｉｎｅ  Ｔｅｒｍｉｎａｌ）に対して、複数の加入者宅に設置された宅内装置（ＯＮＵ：Ｏｐｔｉｃａｌ  Ｎｅｔｗｏｒｋ  Ｕｎｉｔ）を収容することを可能とし、光ファイバ伝送路、光スプリッタ、およびＯＬＴを複数の加入者間で共有することで、高い経済性を実現した光アクセスシステムである。
【０００４】
現在、日本では主に１Ｇｂ／ｓの伝送量を有するＧＥ−ＰＯＮ（Ｇｉｇａｂｉｔ  Ｅｔｈｅｒｎｅｔ（登録商標）−ＰＯＮ）システムが商用導入されている。また、さらなる高速化を実現する次世代光アクセスシステムとし、１０Ｇｂ／ｓ級の総伝送容量を有する、１０Ｇ−ＥＰＯＮの研究開発が進められている。
【０００５】
そして、さらなる光アクセスシステムの高速化、および高度化を目指した、次々世代光アクセスシステムの検討がされており、標準化団体であるＦＳＡＮ（Ｆｕｌｌ  Ｓｅｒｖｉｃｅ  Ａｃｃｅｓｓ  Ｎｅｔｗｏｒｋ）において、ＮＧ−ＰＯＮ２としてＷＤＭ（Ｗａｖｅｌｅｎｇｔｈ  Ｄｉｖｉｓｉｏｎ  Ｍｕｌｔｉｐｌｅｘｉｎｇ）／ＴＤＭ（Ｔｉｍｅ  Ｄｉｖｉｓｉｏｎ  Ｍｕｌｔｉｐｌｅｘｉｎｇ）−ＰＯＮシステムの標準化が２０１２年に開始された。
【０００６】
これらのＷＤＭ／ＴＤＭ−ＰＯＮシステムは、これまでにＰＯＮシステムで用いられてきた時間軸の多重（ＴＤＭ）に加えて、光の特性を生かした波長軸の多重（ＷＤＭ）を行うことで、収容効率や保守管理などの効率化を図ることが可能となり、光アクセスネットワークの柔軟性を高めることが期待できる。また、ＷＤＭ技術の適用により、伝送容量の飛躍的な拡大も期待できる。
【０００７】
本システムは、収容局内に設置するＯＬＴ及びユーザ宅に設置するＯＮＵに内蔵する送受信器に波長可変性を持たせ、時間軸と波長軸の有効活用を行うことで、システムの大容量化と柔軟性の両方を実現する。
【０００８】
しかし、現在サービスされているＧＥ−ＰＯＮや、将来の導入が期待されている１０ＧＥ−ＰＯＮなどのＴＤＭベースのＰＯＮシステムにおいては、上り信号波長帯が１３００ｎｍ帯に規定されており、光ファイバで受ける伝送損失が大きく、広域化が困難であった。
【０００９】
また、光増幅ＰＯＮ中継器を用いた光アクセスシステムの広域化の報告も多数されているが、ＧＥ−ＰＯＮのＯＮＵに内蔵されているファブリ・ペローレーザ（ＦＰ−ＬＤ：Ｆａｂｒｙ  Ｐｅｒｏｔ  Ｌａｓｅｒ  Ｄｉｏｄｅ）は広い線幅を有するため、光増幅器の放出する雑音をバンドパスフィルタによって除去することが困難であった。
【００１０】
このためＧＥ−ＰＯＮに光増幅ＰＯＮ中継器を適用する場合は、光源に線幅の細い分布帰還形レーザ（ＤＦＢ−ＬＤ：Ｄｉｓｔｒｉｂｕｔｅｄ  Ｆｅｅｄｂａｃｋ  Ｌａｓｅｒ  Ｄｉｏｄｅ）を用いた波長指定版ＯＮＵを用いる必要があり、既存のＯＮＵは使用することができなかった。
【００１１】
図７に広域光アクセスシステムの関連技術を示す。広域光アクセスシステムに関連する広域化技術では、伝送路である光ファイバ中（図７中のリモートノード）に光信号を中継増幅する光増幅ＰＯＮ中継器、またはＯ／Ｅ／Ｏ中継器を設置し、光信号を中継伝送することで広域化を実現する。光増幅ＰＯＮ中継器は、ビットレートや信号フォーマットなどのシステム仕様に依存せず、動作可能なことから、ＧＥ−ＰＯＮをはじめとした、１０Ｇ−ＥＰＯＮなど様々なシステムへの適用が検討されてきた。
【００１２】
しかし、ＰＯＮシステムに中継器として光増幅器を使用した場合、ＰＯＮシステムの最大の特徴である、システムダイナミックレンジ（受信器の最小受信感度、および最大光パワーの差：収容ユーザ位置のダイナックレンジ）が大きく劣化してしまう問題がある。このため、光増幅ＰＯＮ中継器は劇的な広域化が可能な反面、ユーザの収容エリアが収容ビルを中心としてドーナッツ状にしか拡大していかないという課題があった。
【先行技術文献】
【非特許文献】
【００１３】
【非特許文献１】Ｈ．  Ｎａｋａｍｕｒａ，  Ｋ．  Ｔａｇｕｃｈｉ，  Ｓ．  Ｔａｍａｋｉ，  Ｔ．  Ｍｉｚｕｎｏ，  Ｙ．  Ｈａｓｈｉｚｕｍｅ，  Ｔ．  Ｙａｍａｄａ，  Ｍ．  Ｉｔｏ，  Ｈ．  Ｔａｋａｈａｓｈｉ，  Ｓ．  Ｋｉｍｕｒａ，  ａｎｄ  Ｎ．  Ｙｏｓｈｉｍｏｔｏ，  “４０Ｇｂｉｔ／ｓ−ｃｌａｓｓ−λ−ｔｕｎａｂｌｅ  ＷＤＭ／ＴＤＭ−ＰＯＮ  ｕｓｉｎｇ  λ−ｓｅｌｅｃｔａｂｌｅ  Ｂ−Ｔｘ  ａｎｄ  ４  ｘ  Ｍ  ｃｙｃｌｉｃ  ＡＷＧ  ｒｏｕｔｅｒ  ｆｏｒ  ｆｌｅｘｉｂｌｅ  ｐｈｏｔｏｎｉｃ  ａｇｇｒｅｇａｔｉｏｎ  ｎｅｔｗｏｒｋｓ，”  ＯＳＡ  Ｏｐｔｉｃｓ  Ｅｘｐｒｅｓｓ，  Ｖｏｌ．  ２１，  Ｎｏ．１，  ｐｐ−４６３−４６８，  Ｊａｎｕａｒｙ  ２０１３．
【発明の概要】
【発明が解決しようとする課題】
【００１４】
前記課題を解決するために、本発明は、ＧＥ−ＰＯＮや１０Ｇ−ＥＰＯＮが導入された環境下において、既存ＴＤＭ−ＰＯＮのシステム構成に影響を与えることなく、ネットワークの広域化を実現するため、他の関連技術ではＴＤＭ−ＰＯＮのＯＬＴが置かれていた収容ビル（リモートノード）に、光信号をＯ／Ｅ／Ｏ変換する中継器を設置し、リモートノード上位へ信号の送受信をＷＤＭ／ＴＤＭ−ＰＯＮを用いることで、光アクセスシステムの収容エリアの広域化を実現することを目的とする。
【課題を解決するための手段】
【００１５】
上記目的を達成するために、本願発明は、リモートノード上位の収容に、ＷＤＭ／ＴＤＭ−ＰＯＮを用いることで、既存ユーザの利用しているＯＮＵを交換することなく、広域光アクセスシステムを構築できることを特徴とする。
【００１６】
具体的には、光通信システムは、
１以上の加入者装置とＰＯＮ（Ｐａｓｓｉｖｅ  Ｏｐｔｉｃａｌ  Ｎｅｔｗｏｒｋ）接続され、下流に配置された各加入者装置と時分割多重を用いて単一波長の光信号を送受信する複数の中継装置と、
前記中継装置ごとに異なる波長の光信号を送受信する送受信装置とを備える。
【００１７】
本発明の光通信システムでは、
前記中継装置は、
予め定められた波長の光信号を、前記加入者装置から受信する加入者側受信部と、
前記加入者側受信部の受信した光信号を、前記送受信装置から指定された時間に、前記送受信装置から指定された波長を用いて、前記送受信装置へ送信する送受信装置側送信部と、
前記送受信装置から指定された時間に、前記送受信装置から指定された波長の光信号を前記送受信装置から受信する送受信装置側受信部と、
前記送受信装置側受信部の受信した光信号を、前記加入者側受信部の受信波長と同じ波長を用いて、前記加入者装置へ送信する加入者側送信部と、を備えてもよい。
【００１８】
本発明の光通信システムでは、
前記中継装置は、
予め定められた波長の光信号を、前記加入者装置から受信する加入者側受信部と、
前記加入者側受信部の受信した光信号を、前記送受信装置から指定された時間に、前記送受信装置から指定された波長を用いて、前記送受信装置へ送信する送受信装置側送信部と、
前記送受信装置から指定された時間に、予め定められた波長の光信号を前記送受信装置から受信する送受信装置側受信部と、
前記送受信装置側受信部の受信した光信号を、前記加入者側受信部の受信波長と同じ波長を用いて、前記加入者装置へ送信する加入者側送信部と、を備えてもよい。
【００１９】
本発明の光通信システムでは、
下流側ポートが複数の前記中継装置と接続され、上流側ポートが複数の前記送受信装置と接続され、前記下流側ポートのうちのいずれかのポートに入力された光信号を前記上流側ポートの各ポートに出力し、前記上流側ポートのうちのいずれかのポートに入力された光信号を前記下流側ポートの各ポートに出力する光スプリッタをさらに備えてもよい。
【００２０】
本発明の光通信システムでは、
下流側ポートが複数の前記中継装置と接続され、上流側ポートが複数の前記送受信装置と接続され、前記下流側ポートのうちのいずれかのポートに入力された光信号を、前記上流側ポートのうちの波長に応じて定められたポートに出力し、前記上流側ポートのうちのいずれかのポートに入力された光信号を、前記下流側ポートのうちの波長に応じて定められたポートに出力する周回性光合分波器をさらに備えてもよい。
【００２１】
本発明の光通信システムでは、
上流側ポートが複数の前記送受信装置と接続され、下流側ポートが１つの周回性光合分波器と接続された光スプリッタと、
下流側ポートが複数の前記中継装置と接続され、上流側ポートが前記光スプリッタと接続された周回性光合分波器と、をさらに備え、
前記光スプリッタは、前記上流側ポートのうちのいずれかのポートに入力された光信号を前記下流側ポートに出力し、前記下流側ポートに入力された光信号を前記上流側ポートの各ポートに出力し、
前記周回性光合分波器は、前記下流側ポートのうちのいずれかのポートに入力された光信号を前記上流側ポートに出力し、前記上流側ポートに入力された光信号を前記下流側ポートのうちの波長に応じて定められたポートに出力してもよい。
【００２２】
なお、上記各発明は、可能な限り組み合わせることができる。
【発明の効果】
【００２３】
本発明によれば、リモートノード上位の収容に、ＷＤＭ／ＴＤＭ−ＰＯＮを用いることで、既存ユーザの利用しているＯＮＵを交換することなく、広域光アクセスシステムを構築することができる。
【図面の簡単な説明】
【００２４】
【図１】本実施形態に係るＲＮにＯ／Ｅ／Ｏ中継器を適応した広域アクセスシステムの一例を示す。
【図２】本実施形態に係る下り信号受信部に波長可変性を備えたＯ／Ｅ／Ｏ中継器の一例を示す。
【図３】本実施形態に係るスプリッタ型ＷＤＭ／ＴＤＭ−ＰＯＮを適応した広域アクセスシステムの一例を示す。
【図４】本実施形態に係る下り信号受信部に波長固定受信器を備えたＯ／Ｅ／Ｏ中継器の一例を示す。
【図５】本実施形態に係るＮｘＭ周回性ＡＷＧ型ＷＤＭ／ＴＤＭ−ＰＯＮを適応した広域アクセスシステムの一例を示す。
【図６】本実施形態に係る１ｘＮ周回性ＡＷＧ型ＷＤＭ／ＴＤＭ−ＰＯＮを適応した広域アクセスシステムの一例を示す。
【図７】関連技術におけるＧＥ―ＰＯＮ広域システムの一例を示す。
【図８】関連技術におけるＯ／Ｅ／Ｏ中継器の一例を示す。
【発明を実施するための形態】
【００２５】
添付の図面を参照して本発明の実施形態を説明する。以下に説明する実施形態は本発明の実施の例であり、本発明は、以下の実施形態に制限されるものではない。なお、本明細書及び図面において符号が同じ構成要素は、相互に同一のものを示すものとする。
【００２６】
関連技術では、Ｏ／Ｅ／Ｏ中継器は光信号を一度電気信号に変換し、再度光信号として出力するシンプルな中継構成である。図８にＯ／Ｅ／Ｏ中継器６０の関連技術の構成を示す。関連技術における１Ｇ級ＰＯＮ用Ｏ／Ｅ／Ｏ中継器６０の構成は、１Ｇ級ＰＯＮ用上りバースト信号受信部６１、１Ｇ級ＰＯＮ用上りバースト信号送信部６２、１Ｇ級ＰＯＮ用下り信号送信部６４、１Ｇ級ＰＯＮ用下り連続信号受信部６３、上り下り合分波部４０及び上り下り合分波部４５から構成される。
【００２７】
具体的には、Ｏ／Ｅ／Ｏ中継器６０に入力された上り信号は、上り下り合分波部４０で１Ｇ級ＰＯＮ用上りバースト信号受信部６１に入力され、１Ｇ級ＰＯＮ用上りバースト信号受信部６１で上り信号である光信号を電気信号に変換される。その後、再度、電気信号は、１Ｇ級ＰＯＮ用上り信号送信部６２からバースト光信号として送信される。この時、ＧＥ−ＯＮＵ２１側から入力される上り信号はバースト信号となる。
【００２８】
一方、Ｏ／Ｅ／Ｏ中継器６０に入力された下り信号は、上り信号と同じように、上り下り合分波部４５で分波され、１Ｇ級ＰＯＮ用下り連続信号受信部６３に入力され、下り信号である光信号を電気信号に変換される。その後、再度、電気信号は、１Ｇ級ＰＯＮ用下り信号送信部６４から連続光信号として送信される。
【００２９】
これら、Ｏ／Ｅ／Ｏ中継器６０に用いる、上り下り信号の送受信器は、１Ｇ級ＰＯＮで使われているＯＮＵ２１やＯＬＴ２３の送受信器を用いることができ、このため非常に安価に構築することができる。しかし、Ｏ／Ｅ／Ｏ中継器６０は、送受信器や電気回路部分がシステムビットレートや、信号フォーマットに依存するため、システム毎に対応した中継装置を用いる必要がある。例えば、上り下り信号の送受信器は、１Ｇ級ＰＯＮ用上りバースト信号受信部６１、１Ｇ級ＰＯＮ用上りバースト信号送信部６２、１Ｇ級ＰＯＮ用下り信号送信部６４及び１Ｇ級ＰＯＮ用下り連続信号受信部６３であってもよい。
【００３０】
（実施形態１）
図１に、本実施形態に係る光通信システムの一例を示す。本実施形態に係る光通信システムは、１０Ｇ−ＥＰＯＮ広域収容アクセスシステムであり、加入者装置として機能する１０Ｇ−ＯＮＵ３１と、中継装置として機能するＲＮ３３−１〜３３−ｎと、送受信装置として機能するＬＣ３７−１〜３７−ｍと、を備える。
【００３１】
図１にＷＤＭ／ＴＤＭ−ＰＯＮ３４を用いた、１０Ｇ−ＥＰＯＮ広域収容アクセスシステムの構成を示す。広域収容アクセスシステムは、ユーザを収容する１０Ｇ級ＰＯＮ３０部分と、リモートノード（ＲＮ：Ｒｅｍｏｔｅ  Ｎｏｄｅ）から収容ビル３５までを結ぶＷＤＭ／ＴＤＭ−ＰＯＮ３４部分から構成される。１０Ｇ級ＰＯＮ３０部分において、ＲＮ（λｎ）３３−１〜ＲＮ３３−２はＯＬＴの役割を果たし、１０Ｇ−ＯＮＵ３１からＲＮ（λｎ）３３−１〜ＲＮ３３−２の区間は、ＴＤＭベースのＰＯＮ区間と同一と考えることが可能である。
【００３２】
一方、各ＲＮ（λｎ）３３−１〜ＲＮ３３−２にはＯ／Ｅ／Ｏ中継器が配置されており、ＲＮ（λｎ）３３−１〜ＲＮ３３−２から収容ビル３５までは、ＷＤＭ／ＴＤＭ−ＰＯＮ３４によって構成されるため、ネットワークの広域化が可能となる。また、本構成により、１０Ｇ−ＯＮＵ３１を利用しているユーザの設備やサービスに影響を与えることなく、ネットワークの広域化が実現できる。
【００３３】
（実施形態２）
図２に、上り下り信号受信部に波長可変性を備えたＯ／Ｅ／Ｏ中継器３９の構成を示す。Ｏ／Ｅ／Ｏ中継器３９は、加入者側受信部として機能する１０Ｇ級ＰＯＮ用上りバースト信号受信部４１、送受信装置側送信部として機能する波長可変上りバースト信号送信部４２、送受信装置側受信部として機能する波長可変下り連続信号受信部４４、加入者側送信部として機能する１０Ｇ級ＰＯＮ用下り信号送信部４６、送受信波長制御部４３、および２台の上り下り合分波部４０及び上り下り合分波部４５から構成される。
【００３４】
Ｏ／Ｅ／Ｏ中継器３９に入力された上り信号は、上り下り合分波部４０で１０Ｇ級ＰＯＮ用上りバースト信号受信部４１に入力され、１０Ｇ級ＰＯＮ用上りバースト信号受信部４１で上り信号である光信号を電気信号に変換される。その後、再度、電気信号は、波長可変上りバースト信号送信部４２で光信号に変換され、バースト光信号として送信される。この時、１０Ｇ−ＯＮＵ３１側から入力される上り信号はバースト信号となる。
【００３５】
一方、Ｏ／Ｅ／Ｏ中継器３９に入力された下り信号は、上り信号と同じように、上り下り合分波部４５で分波され、波長可変下り連続信号受信部４４に入力される。波長可変下り連続信号受信部４４は、下り信号である光信号を電気信号に変換する。その後、再度、電気信号は、１０Ｇ級ＰＯＮ用下り信号送信部４６で光信号に変換され、連続光信号として送信される。
【００３６】
図３に、図２に示すＯ／Ｅ／Ｏ中継器３９を各ＲＮ（λｎ）３３−１〜ＲＮ３３−２に配置した、スプリッタ型ＷＤＭ／ＴＤＭ−ＰＯＮ３８を用いた広域収容アクセスネットワークの構成を示す。広域収容アクセスネットワークシステムは、ユーザである１０Ｇ−ＯＮＵ３１を収容する１０Ｇ級ＰＯＮ３０部分と、ＲＮから収容ビル３５までを結ぶ波長可変型ＷＤＭ／ＴＤＭ−ＰＯＮ部分から構成される。
【００３７】
本実施形態に係る光通信システムでは、スプリッタ３６として機能する光スプリッタは、複数の中継装置と接続する複数の下流側ポートと、複数の送受信装置と接続する複数の上流側ポートと、を備える。ここで、光スプリッタは、下流側ポートのうちのいずれかのポートに入力された光信号を上流側ポートの各ポートに出力し、上流側ポートのうちのいずれかのポートに入力された光信号を下流側ポートの各ポートに出力する。
【００３８】
本実施形態では、例えば、１０Ｇ級ＰＯＮ３０部分において、ＲＮ（λｎ）３３−１〜ＲＮ３３−２はＯＬＴの役割を果たす。１０Ｇ−ＯＮＵ３１からＲＮ（λｎ）３３−１〜ＲＮ３３−２の区間は、ＴＤＭベースのＰＯＮ区間と同一と考えることが可能である。一方、各ＲＮ（λｎ）３３−１〜ＲＮ３３−２にはＯ／Ｅ／Ｏ中継器３９が配置されており、ＲＮ（λｎ）３３−１〜ＲＮ３３−２と収容ビル３５間までは、スプリッタ型ＷＤＭ／ＴＤＭ−ＰＯＮによって構成されるため、ネットワークの広域化が可能となる。
【００３９】
また、本構成により、１０Ｇ−ＯＮＵ３１を利用しているユーザの設備やサービスに影響を与えることなく、ネットワークの広域化が実現できる。スプリッタ型ＷＤＭ／ＴＤＭ−ＰＯＮ３８を構成するためには、送受信する上り信号及び下り信号の波長を切り替えながら行う必要があるため、ＲＮ（λｎ）３３−１〜ＲＮ３３−２内の送受信器に波長可変性が求められる。例えば、ＲＮ（λｎ）３３−１〜ＲＮ３３−２内の送受信器は、１０Ｇ級ＰＯＮ用上りバースト信号受信部４１、波長可変上りバースト信号送信部４２、波長可変下り連続信号受信部４４、１０Ｇ級ＰＯＮ用下り信号送信部４６であってもよい。
【００４０】
このため、波長可変送受信器を中継装置として機能するＯ／Ｅ／Ｏ中継器３９に用いて、送受信波長制御部４３によって送受信波長を制御する。これらを、Ｏ／Ｅ／Ｏ中継器３９に用いる、上り下り信号の送受信器は、１０Ｇ級ＰＯＮ３０で使われている１０Ｇ−ＯＮＵ３１やＯＬＴの送受信器を用いることができ、このため非常に安価に構築することが期待できる。例えば、上り下り信号の送受信器は、１０Ｇ級ＰＯＮ用上りバースト信号受信部４１、波長可変上りバースト信号送信部４２、波長可変下り連続信号受信部４４及び１０Ｇ級ＰＯＮ用下り信号送信部４６であってもよい。
【００４１】
（実施形態３）
図４に送受信装置側受信部として機能する波長固定下り連続信号受信部５５に波長可変性を備えたＯ／Ｅ／Ｏ中継器５７の構成を示す。Ｏ／Ｅ／Ｏ中継器５７は、加入者側受信部として機能する１０Ｇ級ＰＯＮ用上りバースト信号受信部５４、送受信装置側送信部として機能する波長可変上りバースト信号送信部５２、送受信装置側受信部として機能する波長固定下り連続信号受信部５５、加入者側送信部として機能する１０Ｇ級ＰＯＮ用下り信号送信部５６、送信波長制御部５３、上り下り合分波部４０及び上り下り合分波部４５から構成される。
【００４２】
Ｏ／Ｅ／Ｏ中継器５７に入力された上り信号は、上り下り合分波部４０で１０Ｇ級ＰＯＮ用上りバースト信号受信部５４に入力され、１０Ｇ級ＰＯＮ用上りバースト信号受信部５４で上り信号である光信号を電気信号に変換される。その後、再度、電気信号は、波長可変上りバースト信号送信部５２で光信号に変換され、バースト光信号として送信される。この時、１０Ｇ−ＯＮＵ３１側から入力される上り信号はバースト信号となる。
【００４３】
一方、収容ビル３５内からＯ／Ｅ／Ｏ中継器５７に入力された下り信号は、上り信号と同じように、上り下り合分波部４５で分波され、波長固定下り連続信号受信部５５に入力され、下り信号である光信号を電気信号に変換される。その後、再度、１０Ｇ級ＰＯＮ用下り信号送信部５６から連続光信号として送信される。
【００４４】
図５に、図４に示すＯ／Ｅ／Ｏ中継器５７を各ＲＮ（λｎ）３３に配置した、ＮｘＭ周回性ＡＷＧ型ＷＤＭ／ＴＤＭ−ＰＯＮ４８を用いた広域収容アクセスネットワークの構成を示す。広域アクセスシステムは、ユーザを収容する１０Ｇ級ＰＯＮ３０部分と、ＲＮから収容ビル３５までを結ぶ波長可変型ＷＤＭ／ＴＤＭ−ＰＯＮ部分から構成される。
【００４５】
収容ビル３５内において、集線にＮｘＭ周回性ＡＷＧ５０を用いる点を特徴とする。本実施形態に係る光通信システムにおける周回性光合分波器として機能するＮｘＭ周回性ＡＷＧ５０は、複数の中継装置と接続される下流側ポートと、複数の送受信装置と接続される上流側ポートと、を備える。ＮｘＭ周回性ＡＷＧ５０は、下流側ポートのうちのいずれかのポートに入力された光信号を、上流側ポートのうちの波長に応じて定められたポートに出力し、上流側ポートのうちのいずれかのポートに入力された光信号を、下流側ポートのうちの波長に応じて定められたポートに出力する。
【００４６】
図３に示すスプリッタ型ＷＤＭ／ＴＤＭ−ＰＯＮ３８を用いる構成では、収容ビル３５内においてＬＣ数を増加していった場合において、集線に用いるスプリッタ３６の分岐数が２分岐ごとに３ｄＢ増加してしまい、広域化の大きな制限となる。
【００４７】
一方、本構成においては、集線にＮｘＭ周回性ＡＷＧ５０を用いることで、ＬＣの収容数に依らず挿入損失が一定となる。このため、本構成は、ＬＣを多数収容する、大規模なネットワークに有効となる。
【００４８】
また、ＮｘＭ周回性ＡＷＧ５０は波長ルータとしての役割を果たすため、柔軟な帯域割当が可能となる。さらに、ＮｘＭ周回性ＡＷＧ５０を用いることで、図４に示すＯ／Ｅ／Ｏ中継器５７の下り受信部に波長可変性が不要となり、図２の構成と比較して簡易な構成となる。１０Ｇ級ＰＯＮ３０部分において、ＲＮ（λｎ）３３はＯＬＴの役割を果たし、１０Ｇ−ＯＮＵ３１からＲＮ（λｎ）３３の区間は、ＴＤＭベースのＰＯＮ区間と同一と考えることが可能である。Ｏ／Ｅ／Ｏ中継器５７の下り受信部は、波長固定下り連続信号受信部５５であってもよい。
【００４９】
一方、ＲＮ（λｎ）３３にはＯ／Ｅ／Ｏ中継器５７が配置されており、ＲＮ（λｎ）３３から収容ビル３５までは、波長可変型ＷＤＭ／ＴＤＭ−ＰＯＮによって構成されるため、ネットワークの広域化が可能となる。また、本構成により、１０Ｇ−ＯＮＵ３１を利用しているユーザの設備やサービスに影響を与えることなく、ネットワークの広域化が実現できる。
【００５０】
ＮｘＭ周回性ＡＷＧ型ＷＤＭ／ＴＤＭ−ＰＯＮ４８を構成するためには、上り信号を送受信する際、波長を切り替えながら行う必要があるため、ＲＮ（λｎ）３３の上り送信器に波長可変性が求められる。このため、波長可変送信器５３をＯ／Ｅ／Ｏ中継器５７に用い、送信波長制御部５３によって送信波長を制御する。
【００５１】
これらを、Ｏ／Ｅ／Ｏ中継器５７に用いた場合、上り下り信号の送受信器は、１０Ｇ級ＰＯＮ３０で使われている１０Ｇ−ＯＮＵ３１やＯＬＴの送受信器を用いることができ、このため非常に安価に構築することが期待できる。例えば、上り下り信号の送受信器は、１０Ｇ級ＰＯＮ用上りバースト信号受信部４１、波長可変上りバースト信号送信部４２、波長可変下り連続信号受信部４４、１０Ｇ級ＰＯＮ用下り信号送信部４６であってもよい。
【００５２】
（実施形態４）
図６に、図４に示すＯ／Ｅ／Ｏ中継器５７をＲＮ（λｎ）３３に配置した、１ｘＮ周回性ＡＷＧ型ＷＤＭ／ＴＤＭ−ＰＯＮ４９を用いた広域収容アクセスネットワークの構成を示す。広域アクセスシステムは、ユーザを収容する１０Ｇ級ＰＯＮ３０部分と、ＲＮ（λｎ）３３から収容ビル３５までを結ぶ波長可変型ＷＤＭ／ＴＤＭ−ＰＯＮ部分から構成される。
【００５３】
本実施形態に係る光通信システムにおける周回性合分波器として機能する１ｘＮ周回性ＡＷＧ５１は、複数の送受信装置と接続される上流側ポートと、複数の中継装置と接続される下流側ポートと、下流側ポートが１つの１ｘＮ周回性ＡＷＧ５１と接続される光スプリッタとして機能するスプリッタ５８と、を備える。スプリッタ５８は、上流側ポートのうちのいずれかのポートに入力された光信号を下流側ポートに出力し、下流側ポートに入力された光信号を上流側ポートの各ポートに出力し、１ｘＮ周回性ＡＷＧ５１は、下流側ポートのうちのいずれかのポートに入力された光信号を上流側ポートに出力し、上流側ポートに入力された光信号を下流側ポートのうちの波長に応じて定められたポートに出力する。
【００５４】
関連技術では、収容ビル３５内において、集線に１ｘＮ  ＡＷＧを用いる点を特徴とする。図３に示すスプリッタ型ＷＤＭ／ＴＤＭ−ＰＯＮ３８を用いる構成では、収容ビル３５内においてＬＣ数を増加していった場合において、集線に用いるスプリッタの分岐数が２分岐ごとに３ｄＢ増加してしまい、広域化の大きな制限となる。
【００５５】
一方、本構成においては、集線に１ｘＮ周回性ＡＷＧ５１を用いることで、ＬＣの収容数に依らず挿入損失が一定となる。このため、本構成は、ＬＣを多数収容する、大規模なネットワークに有効となる。
【００５６】
また、１ｘＮ周回性ＡＷＧ５１は波長合分波器としての役割を果たす。さらに、１ｘＮ周回性ＡＷＧ５１を用いることで、図４に示すＯ／Ｅ／Ｏ中継器５７の下り受信部に波長可変性が不要となり、図２の構成と比較して簡易な構成となる。
【００５７】
１０Ｇ級ＰＯＮ３０部分において、各ＲＮ（λｎ）３３はＯＬＴの役割を果たし、１０Ｇ−ＯＮＵ３１からＲＮ（λｎ）３３の区間は、ＴＤＭベースのＰＯＮ区間と同一と考えることが可能である。一方、ＲＮ３３（λｎ）にはＯ／Ｅ／Ｏ中継器５７が配置されており、ＲＮ（λｎ）３３から収容ビル３５までは、波長可変型ＷＤＭ／ＴＤＭ−ＰＯＮによって構成されるため、ネットワークの広域化が可能となる。
【００５８】
また、本構成により、１０Ｇ−ＯＮＵ３１を利用しているユーザの設備やサービスに影響を与えることなく、ネットワークの広域化が実現できる。１ｘＮ周回性ＡＷＧ型ＷＤＭ／ＴＤＭ−ＰＯＮ４９を構成するためには、上り信号を送受信する際、波長を切り替えながら行う必要があるため、ＲＮ（λｎ）３３の上り送信器に波長可変性が求められる。
【００５９】
このため、波長可変送信器をＯ／Ｅ／Ｏ中継器５７に用い、送信波長制御部によって送信波長を制御する。これらを、Ｏ／Ｅ／Ｏ中継器５７に用いた場合、上り下り信号の送受信器は、１０Ｇ級ＰＯＮ３０で使われている１０Ｇ−ＯＮＵ３１やＯＬＴの送受信器を用いることができ、このため非常に安価に構築することが期待できる。例えば、上り下り信号の送受信器は、１０Ｇ級ＰＯＮ用上りバースト信号受信部４１、波長可変上りバースト信号送信部４２、波長可変下り連続信号受信部４４、１０Ｇ級ＰＯＮ用下り信号送信部４６であってもよい。
【産業上の利用可能性】
【００６０】
本発明は、情報通信産業に適用することができる。
【符号の説明】
【００６１】
２１：ＧＥ−ＯＮＵ
２２：スプリッタ（ＧＥ―ＯＮＵ〜ＲＮ間）
２３：ＧＥ−ＯＬＴ
３０：１０Ｇ級ＰＯＮ
３１：１０Ｇ−ＯＮＵ
３２：スプリッタ（１０Ｇ級ＰＯＮ側）
３３、３３−１、３３−２、３３−ｎ：ＲＮ、ＲＮ（λ１）、ＲＮ（λ２）、ＲＮ（λｎ）
３４：ＷＤＭ／ＴＤＭ−ＰＯＮ
３５：収容ビル
３６：スプリッタ（ＷＤＭ／ＴＤＭ−ＰＯＮ側）
３７、３７−１、３７−２、３７−ｍ：ＬＣ（λｍ）、ＬＣ（λ１）、ＬＣ（λ２）
３８：スプリッタ型ＷＤＭ／ＴＤＭ−ＰＯＮ
３９、５７、６０：Ｏ／Ｅ／Ｏ中継器
４０：上り下り合分波部（ＯＮＵ側）
４１：１０Ｇ級ＰＯＮ用上りバースト信号受信部
４２：波長可変上りバースト信号送信部
４３：送受信波長制御部
４４：波長可変下り連続信号受信部
４５：上り下り合分波部（ＯＬＴ側）
４６：１０Ｇ級ＰＯＮ用下り信号送信部
４８：ＮｘＭ周回性ＡＷＧ型ＷＤＭ／ＴＤＭ−ＰＯＮ
４９：１ｘＮ周回性ＡＷＧ型ＷＤＭ／ＴＤＭ−ＰＯＮ
５０：ＮｘＭ周回性ＡＷＧ
５１：１ｘＮ周回性ＡＷＧ
５２：波長可変上りバースト信号送信部
５３：送信波長制御部
５４：１０Ｇ級ＰＯＮ用上りバースト信号受信部
５５：波長固定下り連続信号受信部
５６：１０Ｇ級ＰＯＮ用下り信号送信部
５８：スプリッタ（１ｘＮ周回性ＡＷＧ及びＬＣ間）
６１：１Ｇ級ＰＯＮ用上りバースト信号受信部
６２：１Ｇ級ＰＯＮ用上りバースト信号送信部
６３：１Ｇ級ＰＯＮ用下り連続信号受信部
６４：１Ｇ級ＰＯＮ用下り信号送信部
【図１】
0005980730.tif 000002
【図２】
0005980730.tif 000003
【図３】
0005980730.tif 000004
【図４】
0005980730.tif 000005
【図５】
0005980730.tif 000006
【図６】
0005980730.tif 000007
【図７】
0005980730.tif 000008
【図８】
0005980730.tif 000009